(57)【要約】【課題】両手で掴り開口部から歩行進行し方向転換する水中運動者の基本動作を介助するプール水中の介護手すりである水中鉄棒及び水中鉄棒を用いたプール構造を提供する。【解決手段】水中鉄棒１０は、水深を調整するために所定の水深を有する既設のプールの底に沈設されたプールフロア５と、幅ａ及び長さｂが所定寸法の前記プールフロア５の略４隅に立設する４本の支柱部１と、前記支柱１の上部にプールフロアの長手方向に平行に設けられた２本の水平アーム部２と、前記２本の水平アーム部２の一方の端部間を連結する中継アーム部３とから構成する。【選択図】          図１
2004298265.tif 000002
【特許請求の範囲】
【請求項１】
片側が開放された手すりと、手すりの支柱が通路用スペースを空けて立設されたプールフロアとからなり、該プールフロアをプールの底に敷設したことを特徴とする水中鉄棒。
【請求項２】
水深を調整するために所定の水深を有する既設のプールの底に沈設されたプールフロアと、幅及び長さが所定寸法の前記プールフロアの略４隅に立設する４本の支柱部と、前記支柱部の上部にプールフロアの長手方向に平行に設けられた２本の水平アーム部と、前記２本の水平アーム部の一方の端部間を連結する中継アーム部とから構成され、左右の水平アームに両手で掴り開口部から歩行進行し、中継アーム部で方向転換する水中運動者の基本動作を介助することを特徴とする請求項１記載の水中鉄棒。
【請求項３】
前記支柱部は、プールフロアに着脱自在な把持部を備え、把持部を介してプールフロアに立設されていることを特徴とする請求項１または２記載の水中鉄棒。
【請求項４】
前記支柱部は、伸縮構造部を備え、水平アーム及び中継アームがプールの所定水面に対し沈降状態、水面状態、水上状態の３状態に高さ調整可能であることを特徴とする請求項１乃至３いずれかに記載の水中鉄棒。
【請求項５】
前記プールフロアは、所定幅、所定長さの規格品を用いることを特徴とする請求項１乃至４いずれかに記載の水中鉄棒。
【請求項６】
前記プールフロアは、床面に４本の支柱部が挿入固定される支持孔を長手方向に位置をずらして複数箇所備え、プールフロアの任意の箇所に水中鉄棒を立設可能に形成されていることを特徴とする請求項１乃至５いずれかに記載の水中鉄棒。
【請求項７】
請求項１の水中鉄棒を立設したプールフロアを複数枚組み合わせて沈設したプールであって、前記水中鉄棒の開口部を同方向、或いは異なる方向に配置し、複数の水中運動者を並列或いは対面させて同一水中で運動させる構造を有することを特徴とする水中鉄棒を用いたプール構造。
【発明の詳細な説明】
【０００１】
【発明の属する技術分野】
本発明は、既設のプール施設の水中設置器具であって、水中運動を補助するための把持装置に関する。
【０００２】
【従来の技術】
従来、リハビリやエクササイズ運動のためにプール施設が利用されてきた。しかし、リハビリ専用のプール施設を建設するには多額の費用がかかるため、ほとんどは、既設のプール施設をスイミング用と共用して利用する事がなされている。
【０００３】
このため、特許文献１（特開２０００−１０４４１３号公報）によれば、プールの一部に水深を調整する可動床（プールフロア）を沈設し、固定床（本来のプール底）との境に手すりを設け、リハビリなどの運動を行う領域と、スイミングを行う領域を区分する事が開示されている。又、実施の形態として図６及び図７には、リハビリを行う領域の中央に手すりを立設して、手すりの回りをループ状に歩行させることが示されている。
【０００４】
しかし、固定床との境の手すりは、プール底に手すりを立設するための孔を開けなければならず、少なからず工事を伴う。また、可動床（プールフロア）に、プールの長辺方向に長い手すりを設けても、歩行方向に対しては片手だけで掴ることとなり、全面的な介助手すりとならない問題があった。
【０００５】
さらに、学校などの公設プール或いは介護施設にすでに設置されている既製のプールフロアを改造しなければならない問題があった。
【０００６】
【特許文献１】
特開２０００−１０４４１３号公報（第２，３，４頁、第６，７図）
【０００７】
【発明が解決しようとする課題】
本発明は、このような問題に鑑みてなされたもので、両手で掴り開口部から歩行進行し方向転換する水中運動者の基本動作を介助するプール水中の介護手すりである水中鉄棒及び水中鉄棒を用いたプール構造を提供することを課題とする。
【０００８】
また、既設のプール施設に予め設置されているプールフロアに取り付け可能で、且つ着脱自在な低コストの水中鉄棒を提供する。
【０００９】
【課題を解決するための手段】
前記課題を解決するため、本発明の水中鉄棒は、片側が開放された手すりと、手すりの支柱が通路用スペースを空けて立設されたプールフロアとからなり、該プールフロアをプールの底に敷設したことを特徴とする。
【００１０】
また、水深を調整するために所定の水深を有する既設のプールの底に沈設されたプールフロアと、幅及び長さが所定寸法の前記プールフロアの略４隅に立設する４本の支柱部と、前記支柱の上部にプールフロアの長手方向に平行に設けられた２本の水平アーム部と、前記２本の水平アーム部の一方の端部間を連結する中継アーム部とから構成され、左右の水平アームに両手で掴り開口部から歩行進行し、中継アーム部で方向転換する水中運動者の基本動作を介助することを特徴とする。
【００１１】
また、前記支柱部は、プールフロアに着脱自在な把持部を備え、把持部を介してプールフロアに立設されていることを特徴とする。
【００１２】
また、前記支柱部は、伸縮構造部を備え、水平アーム及び中継アームがプールの所定水面に対し沈降状態、水面状態、水上状態の３状態に高さ調整可能であることを特徴とする。
【００１３】
また、前記プールフロアは、所定幅、所定長さの規格品を用いることを特徴とする。
【００１４】
また、前記プールフロアは、床面に４本の支柱部が挿入固定される支持孔を長手方向に位置をずらして複数箇所備え、プールフロアの任意の箇所に水中鉄棒を立設可能に形成されていることを特徴とする。
【００１５】
本発明の水中鉄棒を用いたプール構造は、請求項１の水中鉄棒を立設したプールフロアを複数枚組み合わせて沈設したプールであって、前記水中鉄棒の開口部を同方向、或いは異なる方向に配置し、複数の水中運動者を並列或いは対面させて同一水中で運動させる構造を有することを特徴とする。
【００１６】
この発明によれば、既製のプールフロアの長手方向（２メートル〜５メートル）に平行に設けられた２本の水平アーム部の開口部から、一方の端部の中継アーム部まで左右の水平アームに両手で掴り歩行進行し、中継アーム部で方向転換する基本動作を介護者なしで行うことができる構造を提供する事ができる。この構造では、水平アームの開口部まで利用者を導くだけで、利用者が両手で水中に自立する事が可能となる。このため、介護者は、一人で多数の利用者の介護誘導をする事ができる。
【００１７】
また、プールフロアに着脱自在な把持部を備えているため、任意の場所のプールフロアに水中鉄棒を配設することができ、支柱部伸縮構造部により高さを変えることにより、水平アーム及び中継アームが所定水面に対し沈降状態、水面状態、水上状態の３状態で、多様なリハビリ訓練を実施する事ができる。
【００１８】
さらに、プールフロアが所定幅（１メートル標準）、所定長さ（２，４，５メートル）の量産規格品を用いることができるため新規投資を抑え安価に設置する事ができる。
【００１９】
また、予め、前記プールフロアの床面に４本の支柱部が挿入固定される支持孔を長手方向に位置をずらして複数箇所備えることによれば、最小の追加加工でプールフロアの任意の箇所に水中鉄棒を立設する事ができる。
【００２０】
又さらに、水中鉄棒を立設したプールフロアを複数枚組み合わせて沈設したプールでは、複数の水中運動者を並列或いは対面させて同一水中で運動させることができ、水中運動の指導を同時に複数の利用者に対して行える。また、この構造では、利用者同士が対面して会話を交わし、交流しながら運動を行うことができるため、水中運動に伴う孤独感が払拭される大きな心理効果を呈する。
【００２１】
【発明の実施の形態】
以下、本発明の実施の形態を図に基いて詳細に説明する。図１は、本発明の水中鉄棒の一実施の形態の斜視図である。
【００２２】
水中鉄棒１０は、水深を調整するために所定の水深を有する既設のプールの底に沈設されたプールフロア５と、幅ａ及び長さｂが所定寸法の前記プールフロア５の略４隅に立設する４本の支柱部１と、前記支柱１の上部にプールフロアの長手方向に平行に設けられた２本の水平アーム部２と、前記２本の水平アーム部２の一方の端部間を連結する中継アーム部３とから構成される。
【００２３】
この実施の形態では、プールフロア５に設けられた４つの支持孔５ａに水中鉄棒１０の４本の支柱部１が着脱自在に挿入されている。この支持孔５ａは、プールフロア５の長手方向に複数設けておき、水中鉄棒１０の位置を変えられるようにしておくことができる。
【００２４】
この図では、支柱部１と水平アーム部２及び中継アーム部３が溶接或いは曲線加工で一体に形成されている構造で示したが、この形状であれば形成方法はこれに限るものではない。コストを抑えて、さらに運搬収納を容易にするため、各部を分解可能に形成し嵌合或いはネジ・ボルトで連結して構成してもよい。
【００２５】
図１に示すように、開放された開口部Ｂ手前のプールフロア５の床面は、通路用スペースＣが確保されるように配置されている。また、水平アーム部２が平行な形態で説明したが、開口部Ｂが広がるコの字形態としても良い。さらに、支柱部１は４本の構成を示したが、２本或は３本で支持する構造としても良い。
【００２６】
図２は、本発明の水中鉄棒のプール水中への設置の形態を示す模式図で、（ａ）は沈降状態、（ｂ）は水面状態、（ｃ）は水上状態を示す側面図である。
【００２７】
（ａ）は、プール２０のプール底２０ａに設置されたプールフロア５と水中鉄棒１０が、プール２０の水面２０ｂより沈降した状態になるように支柱部１ａが短く形成されている。この状態では、利用者の両手が水中で水平アーム部２に掴るようになるため、姿勢を低く保つことが可能となる。
【００２８】
（ｂ）は、支柱部１ｂがプール２０の規定水面２０ｂに届く長さに形成され、水平アーム部２が水面状態となる。（ｃ）は、支柱部１ｃがプール２０の規定水面２０ｂ上に届く長さに形成され、水平アーム部２が水上に現れる状態となる。水中運動のカリキュラムによりこの３状態の水中鉄棒のいずれかを選択して設置使用する。
【００２９】
この図では、異なる長さの支柱部１の水中鉄棒１０を付け替える形態を示したが、支柱部１に伸縮構造部（図示せず）を備える形態とすれば、水中に設置したまま４本の支柱部の長さを伸縮調整する事ができる。尚、伸縮構造は、公知のパイプ伸縮構造を利用可能であるので詳しい説明は省略する。
【００３０】
図３は、本発明の水中鉄棒の別の実施の形態を示す図で、（ａ）は正面図、（ｂ）は（ａ）の把持部の拡大側面図である。
【００３１】
水中鉄棒１０Ａは、水平アーム部２の両端が曲げられて２本の支柱部１を形成する一体構造とされており、その支柱部１にプールフロア５の床板５ｂに固定するための把持部６を備える。また、中継アーム部３は、水平アーム部２の一方の端部近くにボルト構造で取り付けられている。
【００３２】
プールフロア５は、脚部５ｃの上部に床部５ｂが載置固定されたものであればいずれを用いてもよい。すなわち、量産規格品を用いることができる。
【００３３】
把持部６は、（ｂ）に示すように、支柱部１の底部に溶接で固定されたはさみ金具６ａと、はさみ金具６ａのコの字形状の底板に設けられたネジ部６ｂと、ネジ部６ｂに螺合された六角ボルト６ｃから構成し、プールフロア５の床部５ｂに挟み込み固定する。
【００３４】
この構成では、プールフロア５に、はさみ金具６ａの厚さの切り欠き溝５ｄを設けることにすれば、はさみ金具６ａの張出しをなくして、プールに沈めて設置されたプールフロア５を密着させて配置する事ができる。
【００３５】
図４は、本発明の水中鉄棒を用いたプール構造の実施の形態を示す模式図で、（ａ）、（ｂ）は３枚のプールフロアの配置例、（ｃ）、（ｄ）は４枚のプールフロアの配置例、（ｅ）は６枚のプールフロアの配置例を示す平面図である。
【００３６】
（ａ）は、３つの水中鉄棒１０の開口部Ｂが互いに向き合う配置で、３名の利用者がそれぞれ開口部Ｂから中継アーム３方向に歩行し、方向転換して開口部Ｂに戻る運動をする事ができる。また、一人の利用者が、３つの水中鉄棒１０を渡り歩くことで、変化に富んだ歩行運動とする事ができる。
【００３７】
（ｂ）は、３つの水中鉄棒１０を中継アーム３が対向するように配置した例である。開口部Ｂから３名の利用者が中心に向かい歩行することで、中心で出会うことを可能にする。
【００３８】
（ｃ）は、４枚のプールフロアを並列に並べた配置で、４つの水中鉄棒が開口部Ｂを並べた状態となる。この配置では、利用者を開口部に誘導介護した後、介護者は中継アーム部３の方向から歩行指導を行うことができる。又、隣り合う利用者同士で会話を交わしながら歩行訓練する事ができる。
【００３９】
（ｄ）は、４枚のプールフロアで、開口部Ｂを対面させた配置と、中継アーム部３を対向させた配置を組み合わせて変化に富んだ歩行訓練を可能にした配置である。
【００４０】
（ｅ）は、水中鉄棒１０を設置した３枚を含む６枚のプールフロアを並べた配置である。これらの配置は、プールの一部の構成を示したが、実施に際しては、プール底部全体或いはリハビリ領域全体にプールフロア５を敷き詰めて行うことが望ましい。
【００４１】
【発明の効果】
本発明の水中鉄棒によれば、水平アームの開口部まで利用者を導くだけで、利用者が両手で水中に自立する事が可能となり、水中歩行などの基本動作を介護者なしで行うことができる。
【００４２】
また、プールフロアに着脱自在であり、高さを調整することにより、種々の運動プログラムに対応したプール構造を実現することができる。さらに、既設のプール及びそこで用いられている既成のプールフロアに装着可能である為、投資コストが少なく経済的である。
【００４３】
さらに、本発明のプール構造では、水中運動の指導を同時に複数の利用者に対して行える。また、利用者同士が対面して会話を交わし、交流しながら運動を行うことができるため、水中運動に伴う孤独感が払拭される大きな心理効果を呈する。
【図面の簡単な説明】
【図１】本発明の水中鉄棒の一実施の形態の斜視図である。
【図２】本発明の水中鉄棒のプール水中への設置の形態を示す模式図で、（ａ）は沈降状態、（ｂ）は水面状態、（ｃ）は水上状態を示す側面図である。
【図３】本発明の水中鉄棒の別の実施の形態を示す図で、（ａ）は正面図、（ｂ）は（ａ）の把持部の拡大側面図である。
【図４】本発明の水中鉄棒を用いたプール構造の実施の形態を示す模式図で、（ａ）（ｂ）は３枚のプールフロアの配置例、（ｃ）（ｄ）は４枚のプールフロアの配置例、（ｅ）は６枚のプールフロアの配置例を示す平面図である。
【符号の説明】
１    支柱部
１ａ，１ｂ，１ｃ  支柱部
２    水平アーム
３    中継アーム
５    プールフロア
５ａ  支持孔
５ｂ  床部
５ｃ  脚部
５ｄ  切り欠き溝
６    把持部
６ａ  はさみ金具
６ｂ  ネジ部
６ｃ  六角ボルト
１０    水中鉄棒
２０    プール
２０ａ  プール底
２０ｂ  プール水面
Ｂ    開口部
【図１】
2004298265.tif 000003
【図２】
2004298265.tif 000004
【図３】
2004298265.tif 000005
【図４】
2004298265.tif 000006